(57)【要約】【課題】たるんだ部分（４２）を有するチューブセット（１２）と共に使用するための医療用ポンプ（１０）を提供する。【解決手段】入口ライン（１６）から出口ライン（２２）へと流体を量り取るため、ポンプハウジング（２８）およびポンピング機構（１５）を備えている医療用ポンプである。チューブスナップまたはチューブスナップセット（３６）が、第１および第２のチューブスナップ（３８、４０）の間にたるんだ部分を集めて保持するため、ポンプハウジング上かつポンピング機構から離れて配置されている。これに加え、あるいはこれに代えて、チューブハンガー（５２）を、チューブハンガーとポンプハウジングとの間にたるんだ部分を挿入することができるように、ポンプハウジングに取り付けることができる。【選択図】図１
2011067668.tif 000002
【特許請求の範囲】
【請求項１】
入口ライン部、出口ライン部、たるんだライン部、および作動ライン部を有するチューブセットと共に使用される、医療用ポンプであって、
ポンプハウジングと、
ポンプハウジングと協働して、チューブセットの作動ライン部を受容すると共に、チューブセットの入口ライン部から出口ライン部に流体をポンピングするように構成された、ポンピング機構と、
チューブセットのたるんだ部分の挿入および取り外しができるように構成された、チューブスナップセットとを備える、医療用ポンプ。
【請求項２】
チューブスナップセットは、ポンプハウジングのハンドル部上において、ポンピング機構から遠く離間して位置する、請求項１に記載の医療用ポンプ。
【請求項３】
チューブスナップセットは、第１のチューブスナップと、第１のチューブスナップから離間した第２のチューブスナップとを含み、チューブスナップセットは、第１のチューブスナップと第２のチューブスナップの間のチューブセットのたるんだ部分を受容すると共に摺動自在に保持して、この保持されたたるんだ部分の長さを調節可能なように構成されている、請求項１に記載の医療用ポンプ。
【請求項４】
ポンプハウジングは、第１のチューブスナップと第２のチューブスナップを画定する一対の長尺状の溝が中に形成されており、各溝は、テーパ付けられた一対の対向エッジと、それらの間に延びる開口とを有している、請求項３に記載の医療用ポンプ。
【請求項５】
溝の開口はＣ字形である、請求項４に記載の医療用ポンプ。
【請求項６】
チューブセットのたるんだ部分をポンプに受容すると共に取り外し自在に固定すべく、ポンプハウジングに取り付けられたチューブハンガーをさらに備える、請求項１に記載の医療用ポンプ。
【請求項７】
チューブハンガーは、ポンプハウジングから外側に延びる主アームと、フックとポンプハウジングとの間でたるんだ部分を受容すると共に保持するように、ポンプハウジングから離れて主アームから横方向に延びる少なくとも１つのフックとを含む、請求項６に記載の医療用ポンプ。
【請求項８】
チューブハンガーの主アームは、ポンプハウジングの底壁に取り付けられている、請求項７に記載の医療用ポンプ。
【請求項９】
チューブハンガーの主アームは、ハウジングの前壁に取り付けられている、請求項７に記載の医療用ポンプ。
【請求項１０】
ポンプハウジングは、チューブハンガーのフックの後ろに位置するハウジング凹部を含む、請求項７に記載の医療用ポンプ。
【請求項１１】
ハウジングの凹部は、ポンプハウジングの前壁からポンプハウジングの底壁に延びている、請求項１０に記載の医療用ポンプ。
【請求項１２】
チューブハンガーは、主アームから反対方向に延びる２つのフックを含み、各フックは、チューブセットのたるんだ部分が間をスナップ式に通過できるように構成された挿入隙間を画定するように、主アームに取り付けられた近位端と、ポンプハウジングに対して配置された遠位端とを有する、請求項７に記載の医療用ポンプ。
【請求項１３】
挿入隙間は、ポンプハウジングとフックの間に画定されたチューブ保持スペースの中に開口し、フックは、フックの遠位端とフックの近位端の間でチューブ保持スペースの幅が増加し、次いで幅が減少するように構成されている、請求項１２に記載の医療ポンプ。
【請求項１４】
ポンピング機構は、流体の流れ方向に流体をポンピングし、溝の少なくとも１つは、流体の流れ方向にほぼ平行に延びるように構成された、請求項３に記載の医療ポンプ。
【請求項１５】
双方の溝は、流体の流れ方向にほぼ平行に延びている、請求項１４に記載の医療ポンプ。
【請求項１６】
流体の流れ方向はほぼ鉛直である、請求項１４に記載の医療ポンプ。
【請求項１７】
溝は、ポンプハウジングのハンドル部に位置している、請求項１４に記載の医療ポンプ。
【請求項１８】
入口ライン部、出口ライン部、たるんだライン部、および作動ライン部を有するチューブセットと共に使用される、医療用ポンプであって、
ポンプハウジングと、
ポンプハウジングと協働して、チューブセットの作動ライン部を受容すると共に、入口ライン部から出口ライン部に流体をポンピングするように構成された、ポンピング機構と、
ポンプハウジングに取り付けられると共に、ポンピング機構から遠く離間した位置において、ラインのたるんだ部分をポンプに受容すると共に取り外し自在に固定するように構成された、チューブハンガーとを備える、医療用ポンプ。
【請求項１９】
チューブハンガーは、ポンプハウジングから外側に延びる主アームと、フックとポンプハウジングとの間でたるんだ部分を受容すると共に保持するように、ポンプハウジングから離れて主アームから横方向に延びる少なくとも１つのフックとを含む、請求項１８に記載の医療用ポンプ。
【請求項２０】
チューブハンガーの主アームは、ポンプハウジングの底壁に取り付けられている、請求項１９に記載の医療用ポンプ。
【請求項２１】
チューブハンガーの主アームは、ハウジングの前壁に取り付けられている、請求項１９に記載の医療用ポンプ。
【請求項２２】
ポンプハウジングは、ユーザインタフェース画面を含む前壁を有し、チューブハンガーの主アームは、ユーザインタフェース画面の下でポンプハウジングに取り付けられている、請求項１９に記載の医療用ポンプ。
【請求項２３】
ポンプハウジングは、チューブハンガーのフックの後ろに位置するハウジング凹部を含む、請求項１９に記載の医療用ポンプ。
【請求項２４】
ハウジングの凹部は、ポンプハウジングの前壁からポンプハウジングの底壁に延びている、請求項２３に記載の医療用ポンプ。
【請求項２５】
チューブハンガーは、主アームから反対方向に延びる２つのフックを含み、各フックは、チューブセットのたるんだ部分が間をスナップ式に通過できるように構成された挿入隙間を画定するように、主アームに取り付けられた近位端と、ポンプハウジングに対して配置された遠位端とを有する、請求項１９に記載の医療用ポンプ。
【請求項２６】
挿入隙間は、ポンプハウジングとフックの間に画定されたチューブ保持スペースの中に開口し、フックは、フックの遠位端とフックの近位端の間でチューブ保持スペースの幅が増加し、次いで幅が減少するように構成されている、請求項２５に記載の医療ポンプ。
【請求項２７】
入口ライン部、出口ライン部、たるんだライン部、および作動ライン部を有するチューブセットと共に使用される、医療用ポンプであって、
ポンプハウジングと、
ポンプハウジングと協働して、チューブセットの作動ライン部を受容すると共に、チューブセットの入口ライン部から出口ライン部に流体をポンピングするように構成された、ポンピング機構と、
ポンピング機構から遠く離間したポンプハウジングの上に位置すると共に、チューブセットのたるんだ部分の挿入および取り外しができるように構成された、少なくとも１つのチューブスナップとを備える、医療用ポンプ。
【請求項２８】
チューブスナップは、ポンピング機構の上方でポンピング機構にほぼ垂直に整列して位置する、請求項２７に記載の医療用ポンプ。
【請求項２９】
たるんだ部分を有するチューブセットと共に使用される、医療用ポンプであって、
ポンプハウジングと、
ポンプハウジングと協働するポンピング機構と、
ポンプハウジングに取り付けられると共に、ポンピング機構から遠く離間した位置において、たるんだ部分をポンプに受容すると共に取り外し自在に固定するように構成された、チューブハンガーとを備える、医療用ポンプ。
【請求項３０】
ポンピング機構は、カセット式ポンプである、請求項２９に記載の医療用ポンプ。
【発明の詳細な説明】
【技術分野】
【０００１】
本発明は、医療用または臨床用設備の分野に関する。さらに詳しくは、本発明は、チューブセットのラインまたは他のラインのたるんだ部分を、これらに限られるわけではないが医療用ポンプなどの医療用装置に固定するための手段に関する。
【背景技術】
【０００２】
最近の医療は、患者へと流体および／または液状の薬剤を届けるため、医療用ポンプまたは他の装置の使用を必要とすることがしばしばである。医療用ポンプは、典型的には、チューブセットを通して患者へと流体を量り取るために使用される。
【０００３】
チューブセットは、典型的には、流体バッグから医療用ポンプへと流体を運ぶ入口ライン部と、医療用ポンプから患者へと流体を運ぶ出口ライン部とを有している。チューブセットは、多様な設計で提供されるため、入口ライン部および出口ライン部の長さは一定ではなく、用途ごとに異なることが多い。さらに、流体バッグから医療用ポンプまでの距離、および医療用ポンプから患者までの距離も、やはり変化する。これらラインの長さの変化ならびに流体バッグ、医療用ポンプ、および患者間の距離の変化によって、入口ライン部および出口ライン部のうちの１つ以上に、ラインのたるんだ部分が形成されることがしばしばである。
【発明の概要】
【発明が解決しようとする課題】
【０００４】
たるんだ部分が入口ライン部または出口ライン部のどちらで生じようと、それらはよく見ても不便であり、最悪の場合には、患者への流体の適切な投与にとって有害である。流体バッグ、チューブセット、および医療用ポンプは、しばしば車輪付きの柱状スタンドに取り付けられ、新たな場所へと運ばれる。移動の際、出口ライン部のたるんだ部分によって、チューブセットのアダプタ端が床面で引きずられ、前もって殺菌しておいたチューブセットが汚染される可能性がある。例えばプログラム可能な多チャネルの医療用ポンプにおいて、２つ以上のチューブセットが使用されている場合には、たるんだ部分によって、ユーザがチューブセット／チャネルの適切な対応を見失う可能性があり、流体を患者へと誤って投与することになりうる。また、緩くたるんだ部分によって、チューブセットの周囲を移動する者が絡まったり、および／またはつまずいたりする危険が生じる。
【０００５】
したがって、本発明の主たる目的は、チューブセットのラインのたるんだ部分を、医療用ポンプまたは同種の装置へと固定するための手段を提供することにある。
【０００６】
本発明のさらなる目的は、チューブセットのラインのたるんだ部分を、ほぼ垂直な流れのパターンが容易に維持されるように医療用ポンプへと固定するための手段を提供することにある。
【０００７】
本発明のさらなる目的は、チューブセットのラインのたるんだ部分を、流路／チャネルの対応がユーザにとって視覚的に容易に明らかであるように、医療用ポンプへと固定するための手段を提供することにある。
【０００８】
本発明のさらなる目的は、ラインの折れ曲がり、よじれ、および閉塞の可能性が低減されるように、チューブセットのラインのたるんだ部分をループにして医療用ポンプへと固定するための手段を提供することにある。
【０００９】
本発明のさらなる目的は、チューブセットのラインのたるんだ部分を、医療用ポンプのハンドルへと固定するための手段を提供することにある。
【００１０】
本発明のさらなる目的は、チューブセットのラインのたるんだ部分を、医療用ポンプの前面に位置するクリート（ｃｌｅａｔ）またはチューブハンガーへと固定するための手段を提供することにある。
【００１１】
これらの目的および他の目的は、当業者にとって明らかであろう。
【課題を解決するための手段】
【００１２】
本発明は、医療用または臨床用設備の分野に関する。さらに詳しくは、本発明は、チューブセットのラインまたは他の同様の細長いラインのたるんだ部分を、これに限られるわけではないが医療用ポンプなどの医療用装置に固定するための手段に関する。
【００１３】
入口ライン部、出口ライン部、たるんだライン部、および作動ライン部を有するチューブセットと共に使用するための、ポンプなどの医療用の装置が開示される。ポンプは、入口ライン部から出口ライン部へと流体を量り取るため、ポンプハウジングおよびポンピング機構を有している。一実施形態においては、ポンプ上かつポンピング機構から離れて位置する少なくとも１つのチューブスナップが、チューブセットのたるんだ部分を挿入および取り外しできるように構成されている。他の実施形態においては、少なくとも１つのチューブスナップを、ポンプ上かつポンピング機構から離して位置させて備えているチューブスナップセットが、チューブセットのたるんだ部分を挿入および取り外しできるように構成されている。好ましくは、チューブスナップセットは、一対の溝によって画定される第１および第２のチューブスナップを備えている。チューブスナップ溝の少なくとも１つは、好ましくは、チューブセットとポンピング機構との対応をユーザが容易に認識できるように、ポンピング機構とほぼ平行に延びている。チューブスナップセットは、第１および第２のチューブスナップの間において、入口ライン部のたるんだ部分を集め、保持し、長さを調節できるようにする。
【００１４】
チューブハンガー綱止めが、ユーザがたるんだ部分を吊り下げることができるように、ポンプハウジングに取り付けられている。好ましくは、綱止めは、チューブハンガー綱止めとポンプハウジングとの間にラインの一部を挿入することができるように、十分にポンプハウジングから離間している。さらに好ましくは、綱止めを、チューブハンガー綱止めとポンプハウジングとの間にラインのたるんだ部分を集めて保持するために、使用することができる。綱止めは、主アームに対して横方向に延びる第１および第２の横フックを有している。第１および第２の横フックを、１つのチューブセットのたるんだ部分を集めて保持するために利用することができ、あるいは２つの別個のチューブセットのたるんだ部分をチューブハンガー綱止めとポンプハウジングとの間に集めて保持するために利用することができる。
【００１５】
図面においては、以下の記載ばかりでなく、同様の特徴は同じ参照符号によって示される。
【図面の簡単な説明】
【００１６】
【図１】本発明による単一チャネル医療用ポンプの斜視図である。
【図２】本発明によるポンプと共に使用されるチューブセットの正面図である。
【図３】本発明による二重チャネル医療用ポンプの斜視図であり、多重チューブセットと協働するチューブスナップとチューブハンガーを示す図である。
【図４Ａ】図１の線４−４に沿う本発明のチューブセットのスナップの部分断面図であり、チューブスナップの中に挿入またはスナップされるチューブセットのたるんだ部分を示す図である。
【図４Ｂ】図１の線４−４に沿う本発明のチューブセットのスナップの部分断面図であり、チューブスナップの中に挿入またはスナップされるチューブセットのたるんだ部分を示す図である。
【図４Ｃ】図１の線４−４に沿う本発明のチューブセットのスナップの部分断面図であり、チューブスナップの中に挿入またはスナップされるチューブセットのたるんだ部分を示す図である。
【図５】本発明のチューブハンガーとポンプハウジングの部分分解斜視図である。
【図６】本発明のチューブハンガーとポンプハウジングのもう１つの部分分解斜視図である。
【図７】図６の線７−７に沿うチューブハンガーの断面図である。
【発明を実施するための形態】
【００１７】
図１を参照して、本発明による単一チャネル医療用ポンプ１０が示されている。本明細書において使用される用語「医療用ポンプ」は、経腸栄養ポンプ、非経口、即ち静脈内（ＩＶ）注入ポンプ、シリンジポンプ、またはチューブ類を介して患者に流体を送出するための任意の単一もしくは多チャネルの流体ポンピング装置を含むが、これらに限定されない。
【００１８】
さらに、図２を参照して、典型的には、ポンプ１０は、患者に流体を送出すべく１つ以上のチューブセット１２と共に使用される。当然のことながら、ポンプ１０およびチューブセット１２は、図１および図２に示されるものより少ない、または多い部品を含んでもよい。しかしながら、チューブセットは本発明の主眼ではなく、全てのチューブセットの部品が、本発明を実行する例示的な実施形態を開示するために示される必要はない。
【００１９】
場合によっては、ポンプがカセットポンプとして知られるタイプのような場合、チューブセット１２は、作動ライン部（以下、「作動部」という）としてカセット１４を含む。チューブセット１２は、典型的には１人の患者に対して、且つ１つの流体送出サイクルに対してのみ使用される。チューブセット１２の作動部、さらに詳細には、本実施形態におけるカセット１４は、ポンピング機構またはチャネル１５の中に挿入、即ち受容される。
【００２０】
ポンピング機構１５は、ポンプのポンプハウジング２８と種々の方法で協働されることができる。ポンピング機構１５は、ポンプハウジング２８に取り付けられ、その中に収容され、それに直接的または間接的に接続され、または、ポンプハウジング２８に有線または無線により遠隔的に接続されることもできる。ポンピング機構１５は、チューブセット１２の作動部（カセット１４）上で受容され且つ作動することにより、チューブセット１２を介して流体の流れ方向に流体の流れを制御または測定する。チャネル／チューブセットの識別を最も容易にするための他の配置が可能であるが、ポンプ１０、ポンピング機構１５、チューブセット１２、従って流体の流れの方向の通常の配置は、好ましくは、図１の矢印によって示されるようにほぼ鉛直である。本発明はまた、蠕動ポンプ、シリンジポンプ、およびブレードポンプを含むがこれらに限定されない、チューブ類上で使用または作動する他のタイプの従来型ポンピング機構によって使用され得ることは、当業者には理解されるであろう。
【００２１】
チューブ１７を備える入口ライン部１６は、カセット１４の入口ポート１８と流体コンテナまたはバッグ２０のような流体源との間で、流体的に接続されている。非カセットタイプのポンプでは、入口ライン部１６は、流体バッグ、または流体源とポンピング機構との間の部分、すなわちポンピング機構の上流部として画定される。流体源、入口部、およびポンピング機構は、注射器のような単一の装置の中に組み込まれることができる。同様に、チューブ１７を備える出口ライン部２２は、カセット１４の出口ポート２４とチューブセット１２の適合端２６の間に、流体連通して接続されている。非カセットタイプのポンプでは、出口ライン部２２は、ポンピング機構の下流部として画定されている。もちろん、作動部は、ポンピング機構によって作動されるチューブセットの部分である。本発明は、カセット１４を備える作動ライン部に接続された入口ライン部１６と出口ライン部２２を有するチューブセット１２と共に使用されるものとして記載されているが、本発明はまた、カセットを有しておらず、入口および出口ライン部１６および２２が一体構造であるか、または他の手段によって接続されているチューブセットと共に使用されるように、構成されることができる。
【００２２】
図１を参照すると、医療用ポンプ１０は、ユーザがハンドル部３０によってポンプ１０をつかむことを可能にするハンドル部３０を有する、ポンプハウジング２８を含む。ポンプハウジング２８は、前壁３２、底壁３４、および前壁３２上のユーザインタフェース画面３５を含む。チューブスナップセット３６は、ポンプハウジング２８上に、好ましくは、ポンピング機構１５から遠く離れて、さらに好ましくはポンピング機構３２の近くのハンドル部３０上に位置している。チューブスナップセット３６は、チューブセットのたるんだ部分の挿入または取り外しを行うように構成されている。
【００２３】
チューブスナップセット３６は、ユーザが第１のポンピング機構３２から遠く離れた位置で、入口ライン１６をポンプ１０に取り外し自在に固定する、第１のチューブスナップ３８を含む。第２のチューブスナップ４０は、ハンドル部３０の第１のチューブスナップ３８から離間して、および近接して位置している。第１および第２のチューブスナップ３８および４０は、チューブスナップ３６を形成している。チューブスナップセット３６により、ユーザは、入口ライン１６のたるんだ部分４２を、第１のチューブスナップ３８と第２のチューブスナップ４０の間で、ポンプ１０に集めて保持することができる。図示されているように、たるんだ部分４２は、固定時にループ状に形成されてもよい。有利には、チューブスナップセット３６により、たるんだ部分４２のループの長さが調節される。チューブスナップセット３６は、このループをポンプ１０に摺動自在に固定すると共に、ループがほどけるのを防止する。ユーザは、たるんだ部分４２においてまたはその近くでチューブセット１２を長手方向または軸方向に引っ張ることにより、たるんだ部分４２の長さを調節することができる。従って、チューブスナップセット３６は、チューブセット１２のたるんだ部分４２を、保持されたたるんだ部分４２が長さ調節自在になるように第１のチューブスナップ３８と第２のチューブスナップ４０の間で受容して、摺動自在に保持するように構成されている。
【００２４】
図１、図４Ａから図４Ｃを参照すると、第１および第２のチューブスナップ３８および４０は、それぞれ、ハンドル部３０内の長尺状溝４４として形成される。好ましくは、一対の溝の各溝４４は、ハンドル部３０を横切って、更に好ましくは、ハンドル部３０の中央長手軸にほぼ垂直に延びている。従って、１つ以上の溝４４は、ポンピング機構１５を介して流体の流れ方向にほぼ並行に延びている。溝４４は、入口ライン部１６のチューブ１７の挿入および取り外しを可能にする開口４６を有する。対向する一対のテーパ状エッジ４８は、開口４６のまわりに位置しており、チューブ１７が溝４４に挿入されたときにたるんだ部分４２をポンプ１０に固定する。好ましくは、溝４４の開口４６は、チューブ１７と直径がほぼ同じであり、チューブ１７の周囲１８０度以上を包囲するＣ字状である。その結果、ユーザは、チューブセット１２のたるんだ部分４２を溝４４に手動で挿入するか、スナップ止めし、これによってその部分は、ユーザによって引っ張られない限り保持される。チューブセット１２のチューブ１７は、溝の開口４６に挿入されるか、またはそこから引き抜かれるときに、弾性的に変形する。溝４４、開口４６、テーパ状エッジ４８、およびそれらの間の隙間は、必要とされる挿入および引き抜きの力が、ほとんどのユーザの能力内におさまるように、およびチューブ１７が永久に変形されることなく堅く保持されるように（サイズ、形状、および半径が）形成されている。チューブ１７の永久的な変形は、ポンプ１０の流れ特性および作動に悪影響を与えることがある。
【００２５】
図示の実施形態は、チューブスナップセット３６を、入口ライン部１６のたるんだ部分を保持するために使用されるものとして示しているが、必要に応じて、出口ライン部２２のたるんだ部分を同様に保持できることを、当業者であれば理解できるであろう。換言すれば、たるんだ部分が、入口ライン部１６において生じてもよく、あるいは出口ライン部２２において生じてもよい。さらに、ただ１つのチューブスナップまたは溝を、ポンプハウジングにおいてポンピング機構から離れた位置に形成して使用してもよく、特に溝が流体の流れの方向に対してほぼ平行であるならば、本発明の利益の大部分を得ることができる。さらに好ましくは、溝は、ポンピング機構の上方でポンピング機構にほぼ垂直に整列して位置するべきである。
【００２６】
図３は、第１および第２のポンプ機構１５および１５Ａなど、複数のポンピング機構をポンプハウジング２８に組み合わせることができることを示している。ポンピング機構１５、１５Ａはそれぞれ、チューブセット１２、１２Ａのカセット１４、１４Ａ（図示せず）を受容し、カセット１４、１４Ａに作用して、流体の流れの方向に入口ライン部１６、１６Ａから、カセット１４、１４Ａを通過して出口ライン部２２、２２Ａへと、流体を量り取る。ポンプ１０Ａが、２つのポンピング機構１５および１５Ａを備えて図示されているが、当業者であれば、本明細書に開示の考え方を利用することによって、さらに追加のポンピング機構を有するポンプへと、本発明を容易に構成させることができるであろう。図示の実施形態においては、第１のチューブスナップセット３６および第２のチューブスナップセット３６Ａが、それぞれ第１および第２のポンピング機構１５および１５Ａの上方に設けられている。第１のチューブスナップセット３６と同様、第２のチューブスナップセット３６Ａは、少なくとも１つ、より好ましくは複数、もっとも好ましくは２つのチューブスナップ３８Ａ、４０Ａを備えている。図３は、チューブスナップ３８、４０、３８Ａ、４０Ａの対が、どのようにポンピング機構１５、１５Ａの上方にほぼ整列され、ポンプハウジング２８の前壁３２のユーザインターフェース画面３５を妨げることがないままにしておいているかを示している。さらに、図３は、チューブスナップ３８、４０、３８Ａ、４０Ａが、内側のスナップ３８、３８Ａまたは外側のスナップ４０、４０Ａのいずれかを、入口部１６、１６Ａのポンピング機構１５、１５Ａの上流に最も近い部分のために利用できるように、それぞれの対において互いに密に近接している（すなわち、並置されている）ことを示している。チューブスナップセット３６および３６Ａが離間して、それぞれ対応するポンピング機構１５および１５Ａの付近に位置し、さらに好ましくはポンピング機構１５および１５Ａに対してほぼ垂直に整列しているため、一旦チューブセット１２、１２Ａがそれぞれのチューブスナップセット３６および３６Ａに固定されると、適切なチューブセットを適切なチャネルまたはポンピング機構１５、１５Ａへと組み合わせる際のユーザの混乱が低減される。
【００２７】
図１および図３から図７を参照すると、ハウジング凹部５０、５０Ａが、ポンプハウジング２８の一部を形成している。ハウジング凹部５０、５０Ａは、好ましくは、ポンプハウジング２８の前壁３２から内向きに広がっている。さらに好ましくは、ハウジング凹部５０、５０Ａは、ポンプハウジング２８の前壁３２から底壁３４へと、凹部５０、５０Ａの奥行きを底壁３４に向かって次第に増加させつつ広がっている。
【００２８】
チューブハンガー５２が、チューブセット１２のたるんだ部分４２’を受容してポンプ１０に取り外し自在に固定するため、ポンプハウジング２８に取り付けられている。チューブハンガー５２は、ポンプハウジング２８から外向きに延びる主アーム５４を備えるとともに、ポンプハウジング２８に対して離間した関係で主アーム５４から横方向に延びる、少なくとも１つのフック５６、さらに好ましくは対向して延びる一対のフック５６、５６Ａを有しており、フック５６および／または５６Ａとポンプハウジング２８との間に、たるんだ部分４２’が受容され、吊り下げられ、保持される。好ましくは、ハウジング凹部５０、５０Ａが、チューブハンガー５２のフック５６またはフック５６、５６Ａの後方に位置して、フック５６またはフック５６、５６Ａに位置合わせされている。
【００２９】
各フック５６、５６Ａは、主アーム５４に取り付けられた近位端５８と、挿入隙間６２、６２Ａを画定するようポンプハウジング２８に対して配置された遠位端６０とを有している。隙間６２、６２Ａは、チューブセット１２のたるんだ部分４２’を自由に、さらに好ましくはわずかな人力で（すなわち、「スナップ式に（ｓｎａｐｐｉｎｇｌｙ）」）、チューブセットを恒久的に変形させることなく通過させることができるように、構成または調節されている。好ましくは、各フック５６、５６Ａは、挿入隙間６２、６２Ａがフックとポンプハウジング２８との間のチューブ保持スペース６３へと開口するように構成される。チューブ保持スペース６３の幅は、フックの遠位端６０とフックの近位端５８との間において、いったん増加し、次いで減少している。当然ながら、チューブ保持スペース６３は、その幅がもっとも広くなる点において、好ましくはチューブの直径よりもかなり幅広い。これは、チューブの恒久的な変形を防止するとともに、複数のチューブまたはチューブのループを、フック５６またはフック５６、５６Ａから吊り下げできるようにする上で役に立つ。
【００３０】
フック５６、５６Ａは、好ましくは、ポンプ１０が図示の向きにあるとき、水平方向に延びている。チューブハンガー５２の主アーム５４は、ポンプハウジング２８の容易にアクセス可能な任意の部分へと、堅固に取り付けることができる。例えば、チューブハンガー５２の主アーム５４を、ポンプハウジング２８の底壁３４、ユーザインターフェース画面３５の下方の前壁３２、あるいはさらに好ましくは、前壁３２および底壁３４の両者へと取り付けることができる。後者の構成が、図５に示されている。チューブハンガー５２は、ハウジング２８上、ハンガー５２上、または両者の固定手段によってポンプハウジング２８に取り付けることができる。固定手段は、これらに限られるわけではないが、ねじ、リベット、熱による溶着またはステーキング（ｓｔａｋｉｎｇ）、対をなす凹部とツメ、またはスナップなど、従来の任意の適切な固定具５３を備えることができる。
【００３１】
図５から図７に照らして最もよく理解されるとおり、チューブハンガー５２は、好ましくは実質的に平滑であり、少なくとも半剛体であり、耐久性のある重合体プラスチック材料で構成されている。チューブハンガー５２は、ある程度のスリップ防止摩擦表面特性を有する弾性的に可撓な材料で形成でき、成型でき、あるいは被覆することができる。もっとも好ましくは、チューブハンガーは、ゴム状弾性を有するより柔らかい材料の層６６でオーバーモールドされ、被覆され、あるいはそのような材料とともに共押し出しされた、硬質熱可塑性基材６４からなる。
【００３２】
基材の材料としては、これらに限られるわけではないが、アクリロニトリル、ブタジエン、およびスチレンの共重合体（ＡＢＳ）、またはポリカーボネート、アクリロニトリル、ブタジエン、およびスチレンの共重合体（ＰＣ／ＡＢＳ）を挙げることができる。好ましくは、ポンプハウジング２８が同様の材料で形成され、チューブハンガー５２のポンプハウジング２８への熱溶着または熱によるステーキングが容易にされる。
【００３３】
オーバーモールド層６６としては、これらに限られるわけではないが、ネオプレンまたはサノプレン（ｓａｎｏｐｒｅｎｅ）などの合成ゴムが挙げられる。オーバーモールド層６６の可撓性および弾性によって、チューブセット１２のたるんだ部分４２’を、損傷を与えることなく隙間６２または６２Ａを通して容易に通過させることができる。さらに、オーバーモールド層６６によれば、ユーザが挿入または引き出しの際に隙間６２または６２Ａを通ってたるんだ部分４２’を強制的に押し引きしなければならないよう（すなわち、スナップ）、遠位端６０における隙間６２または６２Ａの幅Ｗを、チューブの直径よりもわずかに小さく設定することができる。これにより、意図せぬ外れを防止することによって、たるんだ部分４２’のチューブハンガー５２への保持が向上する。チューブハンガー５２の形状に加え、オーバーモールド層６６のスリップ防止の材料特性が、たるんだ部分４２’のループを所定の位置に保持する上で役に立つ。
【００３４】
チューブハンガー５２は、ポンプハウジング２８から外向きに広がり、ポンピング機構１５から離れた位置において、たるんだ部分４２’を受容し、吊り下げ、ポンプ１０へと取り外し自在に固定するように構成されている。図１は、ただ１つのチューブセット１２のたるんだ部分４２’を、どのようにループにしてチューブハンガー５２から吊り下げ、あるいはチューブハンガー５２に固定できるのかを示しており、一方、図３は、２つの別個のチューブセット１２のたるんだ部分４２’、４２Ａ’を同時に吊り下げ、または固定するために、どのようにチューブハンガー５２を使用できるのかを示している。図３においては、二重チャネルのポンプ１０Ａが、２つのポンピング機構１５、１５Ａ、およびこれらに組み合わせられた対応するチューブセット１２、１２Ａを有している。図示の実施形態においては、チューブセット１２、１２Ａが同一であるが、必ずしもそのようである必要はない。
【００３５】
第１の横フック５６によって、ユーザは、第１のチューブセット１２の出口ライン２２のたるんだ部分４２’を、ハウジング凹部５０において第１の横フック５６とポンプハウジング２８との間のチューブ保持スペース６３内に集め、吊り下げ、保持することができる。図示のとおり、第２のチューブセット１２Ａの出口ライン２２のたるんだ部分４２’を、固定時にループへと形成することができ、チューブハンガー５２が、このループをポンプ１０へと固定し、通常はループがほどけることがないようにする。第２の横フック５６Ａによって、ユーザは、出口ライン２２Ａのたるんだ部分４２Ａ’を、ハウジング凹部５０Ａにおいて第２の横フック５６Ａとポンプハウジング２８との間のチューブ保持スペース６３内に集めて、保持することができる。図示のとおり、たるんだ部分４２Ａ’を、固定時にループへと形成することができ、チューブハンガー５６Ａが、このループをポンプ１０へと固定し、通常はループがほどけることがないようにする。しかしながら、適切なチューブ保持スペースが設けられているならば、ユーザは、チューブを長手方向すなわち軸方向に引っ張ることによって、たるんだ部分４２’、４２Ａ’のループの長さを調節することができる。
【００３６】
第１および第２の横フック５６、５６Ａが、それぞれ対応するポンピング機構１５、１５Ａの付近に位置しているため、一旦チューブセット１２、１２Ａがそれぞれ対応する第１および第２の横フック５６および５６Ａに固定されると、適切なチューブセットを適切なチャネルまたはポンピング機構へと組み合わせる際の、ユーザの混乱が低減される。
【００３７】
図１および図３は、チューブハンガー５２を少なくとも２つの異なる方法または配置に従って利用できる旨を示している。第１に、たるんだ部分４２’を、図１に示すように両方の横フック５６、５６Ａの周囲に巻き付けることができる。これは、たるんだ部分４２’を確実に固定することができ、ポンプ１０が単一チャネルまたはポンピング機構１５を有する場合に、好ましい方法または配置である。第２の方法または配置は、図３に示されており、二重チャネルまたはポンピング機構１５、１５Ａを有するポンプ１０Ａにおいて好ましい。たるんだ部分４２’、４２Ａ’において、１つ以上のループが形成される。次いで、たるんだ部分４２’、４２Ａ’のループが、チューブハンガー５２の両端のそれぞれの隙間６２、６２Ａに挿入される。これにより、チューブハンガー５２は、２つの別個のチューブセット１２、１２Ａのたるんだ部分４２、４２Ａ’を、それらが容易に交差または混乱することがないように、主アーム５４の幅によって自動的に離間するようなやり方で、保持することができる。
【００３８】
さらに、チューブスナップおよびチューブハンガーの両者が、ラインの折れ曲がり、よじれ、および閉塞の可能性を低減するため、チューブセットのラインのたるんだ部分をループにして医療用ポンプに固定するための手段をもたらしていることが、見て取れるであろう。
【００３９】
このように、本発明が、チューブセットのラインのたるんだ部分を医療用ポンプへと固定するための手段を提供し、少なくとも上述の本発明の課題の全てを達成するであろうことが、分かるであろう。
【図１】
2011067668.tif 000003
【図２】
2011067668.tif 000004
【図３】
2011067668.tif 000005
【図４Ａ】
2011067668.tif 000006
【図４Ｂ】
2011067668.tif 000007
【図４Ｃ】
2011067668.tif 000008
【図５】
2011067668.tif 000009
【図６】
2011067668.tif 000010
【図７】
2011067668.tif 000011
【手続補正書】
【提出日】平成23年1月6日(2011.1.6)
【手続補正１】
【補正対象書類名】特許請求の範囲
【補正対象項目名】全文
【補正方法】変更
【補正の内容】
【特許請求の範囲】
【請求項１】
入口ライン部、出口ライン部、たるんだライン部、および作動ライン部を有するチューブセットと共に使用される、医療用ポンプであって、
ユーザインタフェース画面を含むポンプハウジングと、
チューブセットの作動ライン部を受容すると共に、入口ライン部から出口ライン部に流体をポンピングするように構成された、ポンプハウジングと関連するポンピング機構と、
ユーザインタフェース画面の下でポンプハウジングの壁に取り付けられると共に、ポンピング機構から遠く離間した位置において、ラインのたるんだ部分をポンプに受容すると共に取り外し自在に固定するように構成された、チューブハンガーとを備える、医療用ポンプ。
【請求項２】
チューブハンガーは、ポンプハウジングから外側に延びる主アームと、フックとポンプハウジングとの間でたるんだ部分を受容すると共に保持するように、ポンプハウジングから離れて主アームから横方向に延びる少なくとも１つのフックとを含む、請求項１に記載の医療用ポンプ。
【請求項３】
ポンプハウジングは、ユーザインタフェース画面を含む前壁を有し、チューブハンガーの主アームは、ユーザインタフェース画面の下でポンプハウジングの前壁に取り付けられている、請求項２に記載の医療用ポンプ。
【請求項４】
ポンプハウジングは、チューブハンガーのフックの後ろに位置するハウジング凹部を含む、請求項２に記載の医療用ポンプ。
【請求項５】
ハウジングの凹部は、ポンプハウジングの前壁からポンプハウジングの底壁に延びている、請求項４に記載の医療用ポンプ。
【請求項６】
チューブハンガーは、主アームから反対方向に延びる２つのフックを含み、各フックは、チューブセットのたるんだ部分が間をスナップ式に通過できるように構成された挿入隙間を画定するように、主アームに取り付けられた近位端と、ポンプハウジングに対して配置された遠位端とを有する、請求項２に記載の医療用ポンプ。
【請求項７】
挿入隙間は、ポンプハウジングとフックの間に画定されたチューブ保持スペースの中に開口し、フックは、フックの遠位端とフックの近位端の間でチューブ保持スペースの幅が増加し、次いで幅が減少するように構成されている、請求項６に記載の医療ポンプ。
【請求項８】
入口ライン部、出口ライン部、たるんだライン部、および作動ライン部を有するチューブセットと共に使用される、医療用ポンプであって、
ポンプハウジングと、
チューブセットの作動ライン部を受容すると共に、チューブセットの入口ライン部から出口ライン部に流体をポンピングするように構成された、ポンプハウジングと関連するポンピング機構と、
チューブセットのたるんだ部分の挿入および取り外しができるように構成されたチューブスナップであって、ポンピング機構から遠く離間して、ポンプハウジングのハンドル部上に位置するチューブスナップとを備える、医療用ポンプ。
【請求項９】
入口ライン部、出口ライン部、たるんだライン部、および作動ライン部を有するチューブセットと共に使用される、医療用ポンプであって、
ポンプハウジングと、
チューブセットの作動ライン部を受容すると共に、入口ライン部から出口ライン部に流体をポンピングするように構成された、ポンプハウジングと関連するポンピング機構と、
ポンプハウジングに取り付けられると共に、ポンピング機構から遠く離間した位置において、ラインのたるんだ部分をポンプに受容すると共に取り外し自在に固定するように構成された、チューブハンガーとを備え、
チューブハンガーが、ポンプハウジングから外向きに延びる主アームを備えると共に、ポンプハウジングに対して離間した関係で主アームから横方向に延びる、少なくとも１つのフックを備えており、フックとポンプハウジングとの間にたるんだ部分が受容されると共に保持され、
少なくとも１つのフックが、主アームに取り付けられた近位端と、挿入隙間を画定するようポンプハウジングに対して配置された遠位端とを有し、挿入隙間がチューブセットのたるんだ部分をスナップ式に通過させることができる、医療用ポンプ。
【外国語明細書】
2011067668000001.pdf